(57)【要約】【課題】小型化することが可能なスイッチ装置を提供すること。【解決手段】ノブ４のダウン操作に連動する第１プッシャ６によって第１コンタクトブレード５を駆動させるとともに、ノブ４のアップ操作に連動する第２プッシャ８によって第２コンタクトブレード７を駆動させる。ノブ４には第１脚部２２と第２脚部２３とが形成され、ダウン操作時には第１脚部２２が第１プッシャ６を単独で作動させつつ第１コンタクトブレード５を駆動させるとともに、アップ操作時には第２脚部２３が第２プッシャ８を単独で作動させつつ第２コンタクトブレード７を駆動させる。【選択図】図７
2016031847.tif 000002
【特許請求の範囲】
【請求項１】
ノブの第１操作に連動する第１プッシャによって第１ブレード接点を駆動させるとともに、前記ノブの第２操作に連動する第２プッシャによって第２ブレード接点を駆動させるスイッチ装置において、
前記ノブの第１操作時には前記第１プッシャを単独で作動させつつ前記第１ブレード接点を駆動させるとともに、前記ノブの第２操作時には前記第２プッシャを単独で作動させつつ前記第２ブレード接点を駆動させるべく、前記ノブには、前記第１操作時に前記第１プッシャを押圧して前記第１ブレード接点を駆動させる第１脚部と、前記第２操作時に前記第２プッシャを押圧して前記第２ブレード接点を駆動させる第２脚部とが形成されている
ことを特徴とするスイッチ装置。
【請求項２】
前記第１プッシャには、前記ノブの第１脚部によって押圧される第１被押圧部と、前記第１被押圧部が押圧された場合に、前記第１ブレード接点の設定された第１コンタクトブレード上を摺動しつつ前記第１ブレード接点を駆動させる第１駆動部とが形成され、前記第２プッシャには、前記ノブの第２脚部によって押圧される第２被押圧部と、前記第２被押圧部が押圧された場合に、前記第２ブレード接点の設定された第２コンタクトブレード上を摺動しつつ前記第２ブレード接点を駆動させる第２駆動部とが形成されている
請求項１に記載のスイッチ装置。
【請求項３】
前記第１操作の解除に伴い前記第１プッシャを作動前の原位置へ復帰させつつ前記第１ブレード接点を駆動前の位置で保持するとともに、前記第２操作の解除に伴い前記第２プッシャを作動前の原位置へ復帰させつつ前記第２ブレード接点を駆動前の位置で保持する板バネを備える
請求項１又は２に記載のスイッチ装置。
【請求項４】
前記板バネには、表裏一方の面が前記ノブと接触し前記第１操作時及び前記第２操作時に当該ノブから荷重を受けるノブ支持部と、表裏他方の面が前記第１プッシャと接触し当該板バネの付勢力に抗した前記第１操作の解除に伴い前記第１プッシャを前記付勢力によって作動前の原位置まで押圧する第１プッシャ係合部と、表裏他方の面が前記第２プッシャと接触し当該板バネの付勢力に抗した前記第２操作の解除に伴い前記第２プッシャを前記付勢力によって作動前の原位置まで押圧する第２プッシャ係合部の三者が一体的に形成されている
請求項３に記載のスイッチ装置。
【請求項５】
請求項１〜４のいずれか一項に記載のスイッチ装置において、
前記第１ブレード接点の設定された第１コンタクトブレードの直上を覆う第１耐性壁と、前記第２ブレード接点の設定された第２コンタクトブレードの直上を覆う第２耐性壁とが形成されたボデーを備える
ことを特徴とするスイッチ装置。
【発明の詳細な説明】
【技術分野】
【０００１】
本発明は、ノブの操作に連動するプッシャによってブレード接点を駆動させるスイッチ装置に関する。
【背景技術】
【０００２】
従来、プッシャによってブレード接点を駆動させるスイッチ装置が提案されている（例えば、特許文献１や特許文献２を参照）。かかるスイッチ装置をパワーウインドウスイッチに適用する場合、ダウン操作に連動する第１プッシャによって第１ブレード接点が駆動されるとともに、アップ操作に連動する第２プッシャによって第２ブレード接点が駆動される。
【先行技術文献】
【特許文献】
【０００３】
【特許文献１】実開平２−６５８４０号公報
【特許文献２】特開２００１−２９７６４８号公報
【発明の概要】
【発明が解決しようとする課題】
【０００４】
反対側への操作時にもプッシャが作動するため、ブレードからプッシャが脱落しないようブレードを大きくする必要があり、大型化を招く。
本発明は、このような問題点に着目してなされたものであって、その目的は、小型化することが可能なスイッチ装置を提供することにある。
【課題を解決するための手段】
【０００５】
上記課題を解決するスイッチ装置は、ノブの第１操作に連動する第１プッシャによって第１ブレード接点を駆動させるとともに、前記ノブの第２操作に連動する第２プッシャによって第２ブレード接点を駆動させるスイッチ装置において、前記ノブの第１操作時には前記第１プッシャを単独で作動させつつ前記第１ブレード接点を駆動させるとともに、前記ノブの第２操作時には前記第２プッシャを単独で作動させつつ前記第２ブレード接点を駆動させるべく、前記ノブには、前記第１操作時に前記第１プッシャを押圧して前記第１ブレード接点を駆動させる第１脚部と、前記第２操作時に前記第２プッシャを押圧して前記第２ブレード接点を駆動させる第２脚部とが形成されていることをその要旨としている。
【０００６】
この構成によれば、ノブの第１操作時には第２プッシャが作動されず、また、第２操作時には第１プッシャが作動されない。このため、片方のプッシャが作動するときに他方が脱落しないようブレードを大きくする必要がない。したがって、スイッチ装置を小型化することができる。
【０００７】
上記スイッチ装置について、前記第１プッシャには、前記ノブの第１脚部によって押圧される第１被押圧部と、前記第１被押圧部が押圧された場合に、前記第１ブレード接点の設定された第１コンタクトブレード上を摺動しつつ前記第１ブレード接点を駆動させる第１駆動部とが形成され、前記第２プッシャには、前記ノブの第２脚部によって押圧される第２被押圧部と、前記第２被押圧部が押圧された場合に、前記第２ブレード接点の設定された第２コンタクトブレード上を摺動しつつ前記第２ブレード接点を駆動させる第２駆動部とが形成されていることとしてもよい。
【０００８】
この構成によれば、第１プッシャ又は第２プッシャが単独で作動されつつ、第１プッシャと第２プッシャが互いに独立して、それぞれに該当するブレード接点を駆動させることができる。
【０００９】
上記スイッチ装置について、前記第１操作の解除に伴い前記第１プッシャを作動前の原位置へ復帰させつつ前記第１ブレード接点を駆動前の位置で保持するとともに、前記第２操作の解除に伴い前記第２プッシャを作動前の原位置へ復帰させつつ前記第２ブレード接点を駆動前の位置で保持する板バネを備えることとしてもよい。
【００１０】
この構成によれば、板バネの付勢力により、スイッチ装置にモーメンタリ機能を持たせることができる。
上記スイッチ装置について、前記板バネには、表裏一方の面が前記ノブと接触し前記第１操作時及び前記第２操作時に当該ノブから荷重を受けるノブ支持部と、表裏他方の面が前記第１プッシャと接触し当該板バネの付勢力に抗した前記第１操作の解除に伴い前記第１プッシャを前記付勢力によって作動前の原位置まで押圧する第１プッシャ係合部と、表裏他方の面が前記第２プッシャと接触し当該板バネの付勢力に抗した前記第２操作の解除に伴い前記第２プッシャを前記付勢力によって作動前の原位置まで押圧する第２プッシャ係合部の三者が一体的に形成されていることとしてもよい。
【００１１】
この構成によれば、ノブを反転させてノブの内奥部にスプリングとプッシャを挿入する構造をとらず、プッシャ、板バネ、ノブの三者を同一方向から組み付け可能な構造をとる。つまり、組み付け時に反転作業を伴わない。したがって、組み付け作業が容易となる。
【００１２】
上記スイッチ装置について、前記第１ブレード接点の設定された第１コンタクトブレードの直上を覆う第１耐性壁と、前記第２ブレード接点の設定された第２コンタクトブレードの直上を覆う第２耐性壁とが形成されたボデーを備えることとしてもよい。
【００１３】
この構成によれば、接点直上がボデーの壁で覆われるため、耐塵性が向上する。
【発明の効果】
【００１４】
本発明によれば、スイッチ装置を小型化することができる。
【図面の簡単な説明】
【００１５】
【図１】スイッチ装置の構成を示す分解斜視図。
【図２】インシュレータの構成を示す斜視図。
【図３】インシュレータに組み込まれたバスバーの構成を示す斜視図。
【図４】スイッチ装置の構成を示す断面図。
【図５】ノブの構成を示す斜視図。
【図６】板バネの構成を示す斜視図。
【図７】ブレード接点の駆動機構を示す斜視図。
【図８】第１プッシャ及び第２プッシャの構成を示す斜視図。
【発明を実施するための形態】
【００１６】
以下、スイッチ装置の一実施の形態について説明する。
図１に示すように、スイッチ装置１は、車両のドアウインドウを電動で開閉するべく操作されるパワーウインドウスイッチであって、例えば、運転席ドアのアームレストに装備される。ウインドウを開ける操作をダウン操作と呼び、ウインドウを閉める操作をアップ操作と呼ぶ。
【００１７】
スイッチ装置１は、支持台となるインシュレータ２を備え、そのインシュレータ２には、上側からボデー３が組み付けられるとともに、そのボデー３には、ダウン操作及びアップ操作に供されるノブ４が上側から組み付けられている。尚、インシュレータ２には、スイッチ回路を形成するバスバーが組み込まれ、そのバスバーの一部にコンタクトリベットが設けられている。コンタクトリベットはスイッチの固定接点である。また、バスバーの一部はインシュレータ２のコネクタハウジング内で整列されてコネクタターミナルを形成する。
【００１８】
図２に示すように、インシュレータ２には、それぞれ上側が開口された枠状の収容部が２つ形成され、一方の収容部には、下から順に第１コンタクトブレード５と第１プッシャ６が運動可能に配置されるとともに、他方の収容部には、下から順に第２コンタクトブレード７と第２プッシャ８が運動可能に配置されている。第１コンタクトブレード５と第２コンタクトブレード７は共にスイッチの可動接点である。また、インシュレータ２には、上記２つの収容部の間に形成された位置決め突部を介して１枚の板バネ９（図１参照）が第１プッシャ６及び第２プッシャ８よりも上方の位置に取り付けられている。
【００１９】
図３に示すように、コネクタの第１ターミナルを有するバスバー上には第１コンタクトリベット１１が設けられ、第２ターミナルを有するバスバーには第１立ち上がり部１２が形成され、第３ターミナルを有するバスバー上には第２コンタクトリベット１３が設けられている。また、第５ターミナルを有するバスバー上には第３コンタクトリベット１４が設けられ、第４ターミナルを有するバスバーには第２立ち上がり部１５が形成され、上記第３ターミナルを有するバスバー上には第４コンタクトリベット１６が設けられている。
【００２０】
図４に示すように、ノブ４が操作されていない通常時には、第１コンタクトブレード５が、第１コンタクトリベット１１及び第１立ち上がり部１２の双方に接続されている。このとき、ダウン操作されていないことを示すスイッチ信号が出力され、そのスイッチ信号に基づいて、ウインドウの開動作が行われない。そして、ノブ４のダウン操作時には、第１プッシャ６が作動して第１コンタクトブレード５の上面を摺動し、第１コンタクトブレード５が、第１立ち上がり部１２との接続を保たれながら第１コンタクトリベット１１との接続を解かれ、第２コンタクトリベット１３に新たに接続される。このとき、ダウン操作されたことを示すスイッチ信号が出力され、そのスイッチ信号に基づいて、ウインドウの開動作が行われる。第１コンタクトブレード５の直上は、ボデー３の第１耐性壁１７によって覆われている。
【００２１】
尚、図示しないが、ノブ４が操作されていない通常時には、第２コンタクトブレード７が、第３コンタクトリベット１４及び第２立ち上がり部１５の双方に接続されている。このとき、アップ操作されていないことを示すスイッチ信号が出力され、そのスイッチ信号に基づいて、ウインドウの閉動作が行われない。そして、ノブ４のアップ操作時には、第２プッシャ８が作動して第２コンタクトブレード７の上面を摺動し、第２コンタクトブレード７が、第２立ち上がり部１５との接続を保たれながら第３コンタクトリベット１４との接続を解かれ、第４コンタクトリベット１６に新たに接続される。このとき、アップ操作されたことを示すスイッチ信号が出力され、そのスイッチ信号に基づいて、ウインドウの閉動作が行われる。第２コンタクトブレード７の直上は、ボデー３の第２耐性壁１８（図１参照）によって覆われている。
【００２２】
図５に示すように、ノブ４には、ダウン操作及びアップ操作に共通の軸部２１と、その軸部２１を通る対角線上に配置された第１脚部２２及び第２脚部２３とが形成されている。
【００２３】
図６に示すように、板バネ９には、上面がノブ４の軸部２１の形状に対応しつつノブ４と接触しダウン操作時及びアップ操作時にノブ４から荷重を受けるノブ支持部２４が形成されている。また、板バネ９には、ノブ支持部２４から一方向に延び、下面が第１プッシャ６と接触し当該板バネ９の付勢力に抗したダウン操作の解除に伴い第１プッシャ６を前記付勢力によって作動前の原位置まで押圧する第１プッシャ係合部２５が形成されている。さらに、板バネ９には、ノブ支持部２４から他方向に延び、下面が第２プッシャ８と接触し当該板バネ９の付勢力に抗したアップ操作の解除に伴い第２プッシャ８を前記付勢力によって作動前の原位置まで押圧する第２プッシャ係合部２６が形成されている。板バネ９は、ノブ支持部２４と第１プッシャ係合部２５と第２プッシャ係合部２６の三者が一体的に形成されるとともに、ノブ支持部２４を中心に第１プッシャ係合部２５と第２プッシャ係合部２６が点対称をなす。
【００２４】
図７に示すように、ノブ支持部２４と第１プッシャ係合部２５との間の切り欠き部分には、上側からボデー３を通過したノブ４の第１脚部２２が挿通されるとともに、ノブ支持部２４と第２プッシャ係合部２６との間の切り欠き部分には、同じくノブ４の第２脚部２３が挿通されている。
【００２５】
図８に示すように、第１プッシャ６には、ノブ４の第１脚部２２によって押圧される第１被押圧部２７と、その第１被押圧部２７が押圧された場合に、第１コンタクトブレード５の上面を摺動しつつ第１コンタクトブレード５を駆動させる第１駆動部２８とが形成されている。第２プッシャ８には、ノブ４の第２脚部２３によって押圧される第２被押圧部２９と、その第２被押圧部２９が押圧された場合に、第２コンタクトブレード７の上面を摺動しつつ第２コンタクトブレード７を駆動させる第２駆動部３０とが形成されている。
【００２６】
次に、スイッチ装置１の作用について説明する。
ノブ４をダウン操作すると、ノブ４の第１脚部２２が板バネ９の付勢力に抗して第１プッシャ６の第１被押圧部２７を押圧し、第１プッシャ６の第１駆動部２８が第１コンタクトブレード５の上面を摺動しつつ第１コンタクトブレード５を駆動させる。尚、第１コンタクトブレード５を駆動させることは、第１コンタクトブレード５が第１立ち上がり部１２及び第２コンタクトリベット１３の双方に接続されることと同義である。そして、このとき、ノブ４の第２脚部２３は第２プッシャ８の第２被押圧部２９を押圧せず、したがって第２コンタクトブレード７は駆動されない。
【００２７】
ダウン操作を解除すると、ノブ４（第１脚部２２）による第１プッシャ６（第１被押圧部２７）の押圧が解かれ、板バネ９の第１プッシャ係合部２５が付勢力によって第１プッシャ６の第１駆動部２８を押圧し、第１プッシャ６を作動前の原位置へ復帰させつつ第１コンタクトブレード５を駆動前の位置で保持する。尚、第１コンタクトブレード５を駆動前の位置で保持することは、第１コンタクトブレード５が第１コンタクトリベット１１及び第１立ち上がり部１２の双方に接続されることと同義である。
【００２８】
ノブ４をアップ操作すると、ノブ４の第２脚部２３が板バネ９の付勢力に抗して第２プッシャ８の第２被押圧部２９を押圧し、第２プッシャ８の第２駆動部３０が第２コンタクトブレード７の上面を摺動しつつ第２コンタクトブレード７を駆動させる。尚、第２コンタクトブレード７を駆動させることは、第２コンタクトブレード７が第２立ち上がり部１５及び第４コンタクトリベット１６の双方に接続されることと同義である。そして、このとき、ノブ４の第１脚部２２は第１プッシャ６の第１被押圧部２７を押圧せず、したがって第１コンタクトブレード５は駆動されない。
【００２９】
アップ操作を解除すると、ノブ４（第２脚部２３）による第２プッシャ８（第２被押圧部２９）の押圧が解かれ、板バネ９の第２プッシャ係合部２６が付勢力によって第２プッシャ８の第２駆動部３０を押圧し、第２プッシャ８を作動前の原位置へ復帰させつつ第２コンタクトブレード７を駆動前の位置で保持する。尚、第２コンタクトブレード７を駆動前の位置で保持することは、第２コンタクトブレード７が第３コンタクトリベット１４及び第２立ち上がり部１５の双方に接続されることと同義である。
【００３０】
尚、ノブ４のダウン操作が第１操作に相当し、アップ操作が第２操作に相当する。そして、第１コンタクトブレード５のうち、第２コンタクトリベット１３への接続箇所が第１ブレード接点に相当し、第２コンタクトブレード７のうち、第４コンタクトリベット１６への接続箇所が第２ブレード接点に相当する。
【００３１】
以上説明したように、本実施の形態によれば、以下の効果を奏することができる。
（１）ノブ４のダウン操作時には第２プッシャ８が作動されず、また、アップ操作時には第１プッシャ６が作動されない。このため、片方のプッシャが作動するときに他方が脱落しないようブレードを大きくする必要がない。したがって、スイッチ装置１を小型化することができる。
【００３２】
（２）第１コンタクトブレード５及び第２コンタクトブレード７の小型化に伴い、インシュレータ２の小型化が可能になる。
（３）第１コンタクトブレード５及び第２コンタクトブレード７の小型化に伴い、運動時の衝突エネルギーが小さくなり、静音化が図られる。
【００３３】
（４）ダウン操作時に第２プッシャ８が押圧されず、また、アップ操作時に第１プッシャ６が押圧されない配置関係をとりつつ、ノブ４の第１脚部２２と第２脚部２３が機能して、上記（１）に倣い、スイッチ装置１の小型化を図ることができる。
【００３４】
（５）ノブ４の第１脚部２２と第２脚部２３により第１プッシャ６又は第２プッシャ８が単独で作動されつつ、第１プッシャ６と第２プッシャ８が互いに独立して、それぞれに該当するブレード接点を駆動させることができる。
【００３５】
（６）板バネ９の付勢力により、スイッチ装置１にモーメンタリ機能を持たせることができる。
（７）ノブを反転させてノブの内奥部にスプリングとプッシャを挿入する構造をとらず、プッシャ（第１プッシャ６及び第２プッシャ８）、板バネ９、ノブ４の三者を同一方向から組み付け可能な構造をとる。つまり、組み付け時に反転作業を伴わない。したがって、組み付け作業が容易となる。
【００３６】
（８）接点直上がボデー３の壁（第１耐性壁１７及び第２耐性壁１８）で覆われるため、耐塵性が向上する。また、水の浸入が防がれ、耐水性も向上する。
（９）１枚の板バネ９が第１プッシャ６及び第２プッシャ８の双方に係合するところ、２つのスプリングが個々に係合する構成に比べ、部品点数が削減できる。
【００３７】
尚、上記実施の形態は、次のように変更して具体化することも可能である。
・上記実施の形態の板バネ９に倣うノブ支持部２４と第１プッシャ係合部２５及び第１プッシャ係合部２５とが別部材の構成を採用してもよい。
【００３８】
・パワーウインドウスイッチ以外のスイッチ装置に本発明を適用してもよい。尚、第１操作と第２操作は必ずしも逆方向の操作でなくてもよい。
【符号の説明】
【００３９】
１…スイッチ装置、２…インシュレータ、３…ボデー、４…ノブ、５…第１コンタクトブレード（第１ブレード接点）、６…第１プッシャ、７…第２コンタクトブレード（第２ブレード接点）、８…第２プッシャ、９…板バネ、１１…第１コンタクトリベット、１２…第１立ち上がり部、１３…第２コンタクトリベット、１４…第３コンタクトリベット、１５…第２立ち上がり部、１６…第４コンタクトリベット、１７…第１耐性壁、１８…第２耐性壁、２１…軸部、２２…第１脚部、２３…第２脚部、２４…ノブ支持部、２５…第１プッシャ係合部、２６…第２プッシャ係合部、２７…第１被押圧部、２８…第１駆動部、２９…第２被押圧部、３０…第２駆動部。
【図１】
2016031847.tif 000003
【図２】
2016031847.tif 000004
【図３】
2016031847.tif 000005
【図４】
2016031847.tif 000006
【図５】
2016031847.tif 000007
【図６】
2016031847.tif 000008
【図７】
2016031847.tif 000009
【図８】
2016031847.tif 000010